(57)【特許請求の範囲】
【請求項１】
キッチンカウンターの開口の上面周囲に載置するトッププレートの周囲の垂直片を内側に折曲して形成した断面形状が鉤形状の空間部に圧入する挿入片と、前記トッププレートの下面に圧接する底部と、前記挿入片と前記底部を連結する連結片とを備えていて、前記挿入片は中央部を中空に形成した弾性体からなる調理器のトッププレートのシールパッキン。
【請求項２】
シールパッキンの底部であってキッチンカウンターとの接触面側に、キッチンカウンターの開口方向に向けて斜めに伸びる舌片を形成し、前記舌片の上方に位置する基底部の厚みの下側に段差を設けて、前記舌片を収納する収納スペースを形設した請求項１記載の調理器のトッププレートのシールパッキン。
【請求項３】
トッププレートの鉤形状の垂直片の下端に当接し、上面で上部へ突出した係止突起を底部に設け、シールパッキンの連結片と底部との交角度を鋭角に形成した請求項１記載の調理器のトッププレートのシールパッキン。
【発明の詳細な説明】
【０００１】
【発明の属する技術分野】
本発明は、調理器のトッププレートのシールパッキンに関するものである。
【０００２】
【従来の技術】
図５は従来の組込型調理器の平面図で、キッチンカウンター１の上面に、コンロバーナー２を配設しコーナー部３を４箇所有するトッププレート４を載置し、前記トッププレート４の外周にはシールパッキン５を備えている。
【０００３】
図６は図５の要部断面図で、トッププレート４とシールパッキン５の装着部の要部を示しており、トッププレート４の周囲を構成する垂直壁６をシールパッキン５の挿入溝７に差し込んで保持し、シールパッキン５の底面部８をキッチンカウンター１の開口９の外側上面に載置した構成となっている。
【０００４】
１０は、シールパッキン５の外壁１１から伸びた舌部で、キッチンカウンター１へ載置前の形状は、外側斜め下方に向かい、載置後には、キッチンカウンター１と当接してトッププレート４の外周の外側に向けて広がった状態となる。
【０００５】
このように舌部１０を有するシールパッキン５は、トッププレート４とキッチンカウンター１との間を密閉シールする目的で装着され、加熱調理時の煮こぼれや清掃時の水などがキッチンカウンター１の開口９の内部へ浸入するのを防止していた。
【０００６】
【発明が解決しようとする課題】
この種の組込型調理器は、日常の使用頻度が高く清掃性の良いものやシステムキッチンへの組込時の美観が要求されているが、従来の構成ではトッププレート４をキッチンカウンター１から外して清掃する時にシールパッキン５がトッププレート４から抜けて脱落するといった課題や、キッチンカウンター５への載置時にシールパッキン５の舌部１０がトッププレート４の外側周囲へ広がり外観が好ましくなく、あるいは、トッププレート４のコーナー部３でシールパッキン５が下方へ倒れて内側へかみこんだりするといった課題を有していた。
【０００７】
【課題を解決するための手段】
本発明は、上記課題を解決するためにトッププレートの周囲の垂直片を内側に折曲し、断面形状を鉤形状に構成すると共に、前記トッププレートの周囲に沿って装着するシールパッキンを前記鉤形状の空間部へ圧入する挿入片と、前記トッププレートの下面に圧接する底部と、前記挿入片と前記底部を連結する連結片とを備えていて、かつ、前記挿入片は断面の中央部を中空に形成したものである。
【０００８】
上記発明によれば、シールパッキンがトッププレートより抜け落ちることがなくシステムキッチンへの組込時の外観を損なうこともない。
【０００９】
【発明の実施の形態】
本発明は、請求項１記載の発明のようにして実施できるものである。すなわちキッチンカウンターの開口の上面に載置するトッププレートの周囲の垂直片を内側に折曲し、断面形状を鉤形状に構成すると共に、前記トッププレートの周囲に沿って装着するシールパッキンを前記鉤形状の内側の空間部へ圧入する挿入片と、前記トッププレートの下面に圧接する底部と、前記挿入片と前記底部を連結する垂直な連結片とを備えた断面が鉤形状であってし、かつ、挿入片は断面の中央部を中空に形成した弾性体からなるシールパッキンとするものである。
【００１０】
そして、トッププレートの鉤形状の内側の空間部へシールパッキンの挿入片を圧入することにより、中空成形し弾力性を有する挿入片は、前記内側の空間部に圧縮を受けて密着し、シールパッキンはトッププレートに強固に保持されるため、トッププレートの水洗い清掃の際や、キッチンカウンターへの載置時のシールパッキンの脱落を防止し、シールパッキンの抜け止め性が向上する。
【００１１】
さらに、請求項２記載の発明のようにトッププレートとキッチンカウンターとの間を密閉するために、シールパッキンの底部の前記キッチンカウンターとの接触面側にキッチンカウンターの開口方向に向けて斜めに伸びる舌片を中央左側から突き出すと共に、前記舌片の上方に位置する基底部の厚みの下側に段差を設けて、前記舌片を収納する収納スペースを形設することができる。
【００１２】
そして、シールパッキンの底部にキッチンカウンターの開口方向に向けて斜めに伸びる舌片は、コーナー部でも収納スペースに収まり、トッププレートとキッチンカウンターとの間を密閉シールして、煮こぼれや水などがキッチンカウンターの開口内へ浸入するのを防止できると共に、舌片はキッチンカウンターの開口方向に向けて斜め方向に伸びているためトッププレートの外側周囲への広がりやはみ出しもなく、美観の向上を図ることができる。
【００１３】
また、前記舌片の上方に位置する基底部の厚みを薄くして舌片の収納スペースをもうけることによって、舌片が収納スペース側に圧接されてもトッププレートを上方に押し上げることなく、下方斜め方向から略水平状態へ柔軟に角度を変えることが可能となり、キッチンカウンター上面に局部的な凹凸や反りがある場合でも、前記舌片はトッププレートとキッチンカウンターとの間にできる隙間を弾性によって吸収して両者を密着させ、密閉シール性を高めることができる。
【００１４】
さらに、請求項３記載のようにシールパッキンの底部上面に鉤形状の上部へ突出した係止突起を設け、連結片と底部との交角度を鋭角に形成することができる。
【００１５】
そして、連結片と底部との交角度を９０度以下の鋭角に構成することによって、シールパッキンのトッププレートへの装着時に、弾性体からなるシールパッキンの底部はトッププレートの鉤形状の下端に係止突起を当接して押し下げ変形を受け、周囲の垂直片を引き込んでトッププレートへの強固な密着が可能となり、トッププレートをキッチンカウンターへ載置した際のコーナー部での下方へのたおれやかみ込み等の形崩れを防止して、コーナー部におけるトッププレートとキッチンカウンターとの間の密閉シール性を向上することができる。
【００１６】
以下、本発明の実施例について、図面を用いて説明する。なお、図５、図６に示す従来例と同一構成部分には同一符号を付し、詳細な説明は省略する。
【００１７】
（実施例１）
図１は本発明の一実施例のトッププレートをキッチンカウンターに載置した状態でのシールパッキンの断面図である。また、図２はトッププレートにシールパッキンを装着した状態でのシールパッキンの断面図である。
【００１８】
図１および図２において、キッチンカウンター１の開口９の上面に周囲の垂直片１２を内側に折曲し、断面形状を鉤形状に構成したトッププレート１３を載置している。そして、トッププレート１３とキッチンカウンター１との間にはシリコンゴム等の弾性体からなるシールパッキン１４を介在させて、トッププレート１３とキッチンカウンター１との間を密閉シールする。
【００１９】
そのシールパッキン１４は挿入片１５とトッププレート１３の下面に位置する底部１６と、その挿入片１５と底部１６を連結する連結片１７の３部位から構成されていて、断面中央に中空穴１５ａを形成した挿入片１５をトッププレート１３の垂直片１２を内側に折曲した鉤形状の内側空間部へ幅寸法Ｂを狭める圧縮を受けながら挿入してトッププレート１３に装着している。
【００２０】
次に作用について説明する。中空成形し、弾力性を有する挿入片１５は前記トッププレート１３の鉤形状の内側空間部に幅寸法Ｂが圧縮を受けて密着し、上面１５ｂがトッププレート１３の内面１３ｂに当接して圧縮に対する反力を受け止められるから、シールパッキン１４はトッププレート１３に強固に保持されるため、トッププレート１３の水洗い清掃の際や、キッチンカウンター１への載置の際に引き抜く力を受けても充分に抵抗でき、のシールパッキン１４の脱落を防ぐことができる。
【００２１】
また、シールパッキン１４の底部１６には舌片１８を設けている。その舌片１８は、キッチンカウンター１の開口９の方向へ向けて斜めに伸びた形状にすると共に、舌片１８の上方に位置する基底部１６ａの厚みを段差Ｈを設けて薄くして舌片１８の収納スペース１９を斜線で示すように設けている。
【００２２】
そして、図３において、連結片１７と底部１６との交角度θは、９０度以下の鋭角に構成している。図４において、矩形のトッププレート１３は、コーナー部３を４箇所有する。シールパッキン１４は、連結片１７を内側にしてコーナー部３で曲げられる。このとき、図２に示すように曲げ中心Ｃは、挿入片１５が左側に位置するから連結片１７より左寄りにある。そして、底部１６は曲げ中心Ｃより左へ行くほど伸びが大きく、舌片１８は右端で最も伸びが少ないために、コーナー部３では舌片１８は自然に収納スペース１９へ入る。
【００２３】
このため、直線部分と同様に、コーナー部３でも舌片１８にしわの発生等がなく、キッチンカウンター１に良く密着できてシール性が良好となり、煮こぼれ等の開口９内への浸入を防止できる。
【００２４】
また、トッププレート１３をキッチンカウンター１に載置した際、舌片１８はトッププレート１３を上方に押し上げることなく下方斜め方向から略水平状態まで自由に角度を変えることが可能となり、キッチンカウンター１の上面に凹凸や反りがある場合でも、舌片１８の局部変形によって吸収し、トッププレート１３とキッチンカウンター１との間の大きな隙間を塞いで密閉シール性を維持することができる。
【００２５】
そして、シールパッキン１４は、連結片１７と底部１６との交角度θを９０度以下の鋭角に構成することによって、トッププレート１３への装着時に弾性体からなるシールパッキン１４の底部１６は、トッププレート１３の下端１３ａによって下方へおされるが、交角を維持するための反力によって図の右側へ逃げようとするが、係止突起２０で受け止めるから、トッププレート１３の垂直片１２側にやや引き込んで強固な密着が可能となり、トッププレート１３のコーナー部３で発生する下方へのたおれやかみ込み等の連結片１７の形崩れを防止し、トッププレート１３とキッチンカウンター１との間の密閉シール性を向上させることになる。
【００２６】
【発明の効果】
以上の説明から明らかなように本発明のトッププレートのシールパッキンによれば次の効果が得られる。
【００２７】
本発明の請求項１によれば、トッププレートの垂直片を内側に折曲して鉤形状に構成した内部の空間へ弾性体からなるシールパッキンの中空成形した挿入片を圧入することにより、シールパッキンはトッププレートに強固に保持されるため、清掃の際やキッチンカウンターへの載置時の脱落がなく、シールパッキンの抜け止め性がよい。
【００２８】
また、本発明の請求項２によれば、シールパッキンの底部に舌片を設け、キッチンカウンターの開口方向へ斜めに伸ばす構成にしたことにより、トッププレートとキッチンカウンターとの間の密閉シール性を向上させ、トッププレートの外側周囲へのはみ出しを無くして、外観がよい。
【００２９】
さらに、舌片の上方に位置する基底部の下側に段差を有して厚みを薄くして舌片の収納スペースを設けることによって、載置時に、舌片はキッチンカウンターに当接して略水平状態になっても収納スペースに収まるから、トッププレートを上方に押し上げることなく水平を維持できる。そして、キッチンカウンターの上面に凹凸や反りがある場合でも、舌片は下方斜め方向から略水平状態へ柔軟に角度を変えながらトッププレートとキッチンカウンターとの間の局部的な隙間を埋めることができ、密閉シール性をさらに高める効果がある。
【００３０】
また、本発明の請求項３によれば、シールパッキンの底部左端上面に係止突起を設けて、連結片と底部との交角度を鋭角に構成することによって、トッププレートへの装着時に弾性体からなるシールパッキンの底部は、係止突起がトッププレートの鉤形状の下端で止められ、連結片と底部の鋭角な交角度が鈍角側へ拡大され、垂直片を強固に左側へ引き込んだ状態となり、トッププレートのコーナー部で発生する下方へのたおれを防止し、キッチンカウンターへの載置時のはさみ込みを防止してトッププレートとキッチンカウンターとの間の密閉シール性を高める効果がある。
【図面の簡単な説明】
【図１】本発明の一実施例における調理器のトッププレートをシールパッキンを介してキッチンカウンターに載置した状態での要部断面図
【図２】同トッププレートにシールパッキンを装着した状態での要部断面図
【図３】同シールパッキンの要部拡大断面図
【図４】同トッププレートをキッチンカウンターに載置した状態での平面図
【図５】従来の組込型調理器の平面図
【図６】従来例におけるトッププレートをシールパッキンを介してキッチンカウンターに載置した状態での要部断面図
【符号の説明】
１  キッチンカウンター
３  コーナー部
１２  垂直片
１３  トッププレート
１３ａ  下端
１３ｂ  内面
１４  シールパッキン
１５  挿入片
１６  底部
１６ａ  基底部
１７  連結片
１８  舌片
１９  収納スペース
２０  係止突起
θ  交角度
【図１】
0003800708.tif 000002
【図２】
0003800708.tif 000003
【図３】
0003800708.tif 000004
【図４】
0003800708.tif 000005
【図５】
0003800708.tif 000006
【図６】
0003800708.tif 000007